(57)【特許請求の範囲】
【請求項１】
衣服を掛けることができる折りたたみ可能なハンガーであって、
ほぼ同一平面の開いた位置と互いにほぼ平行な閉じた位置との間で枢動可能なように枢動可能に連結された第１および第２の中央体部材と、
前記第１および第２の中央体部材からそれぞれ延長していて、前記第１および第２の中央体部材が前記開いた位置にある場合に、前記衣服を広げた状態で配置しうる２つの肩部材と、
前記中央体部材のうちの１つに枢動可能に連結されて、前記折りたたみ可能なハンガーをクロゼット・ロッドから吊り下げるための前記中央体部材のうちの１つと実質的に同一平面関係にある繰り出した位置と前記１つの中央体部材と実質的に平行な引っ込めた位置との間で枢動可能になされ、前記閉じた位置において前記２つの中央体部材の間に配置可能になされたフック状衣服保持部材を具備したハンガー。
【請求項２】
前記フック状衣服保持部材が引っ込んだ位置にある状態で前記中央体部材が前記開いた位置から前記閉じた位置に枢動可能である請求項１に記載のハンガー。
【請求項３】
前記２つの中央体部材を前記開いた位置に解放可能に固着させる手段をさらに具備した請求項１に記載のハンガー。
【請求項４】
前記中央体部材が同一平面の位置にある時に、前記第１の中央体部材が前記第２の中央体部材の一部分に重なり合うようになされており、前記中央体部材のうちの１つが少なくとも１つの開孔を有しており、前記解放可能に固着される手段は、他方の中央体部材から延長していて前記少なくとも１つの開孔に挿通可能な少なくとも１つのタブよりなる請求項３によるハンガー。
【請求項５】
前記中央体部材が閉位置に枢動された時に前記衣服が前記肩部材からスリップするのを引っ込めた位置にある前記フック状衣服保持部材が阻止するようになされた請求項１に記載のハンガー。
【請求項６】
パンツが吊り下げられうるパンツループを保持するためのループホルダーをさらに具備しており、前記ループホルダーは前記中央体部材のうち１つに装着されており、前記パンツループは前記ループホルダー内に摺動可能に配置されている請求項５によるハンガー。
【請求項７】
２つの脚部材をさらに具備しており、前記脚部材のそれぞれが前記中央体部材のうちの対応する１つから延長しており、前記パンツループが前記脚部材のうちの１つに実質的に隣接した位置と前記脚部材の両方に実質的に隣接した位置との間で可動であるようになされた請求項６によるハンガー。
【請求項８】
前記第１の中央体部材を前記第２の中央体部材に連結する第１のヒンジを具備しており、前記ハンガーが、実質的に同一平面関係となる開いた位置と前記中央体部材が実質的に平行になる折りたたんだ位置との間で折りたたみ可能であるようになされており、
前記ハンガーはさらに、
前記フック状衣服保持部材を前記中央体部材のうちの１つに枢動可能に連結する第２のヒンジを具備しており、前記ハンガーが開いた位置にある時に前記中央体部材と実質的に同一平面関係となる繰り出した位置と、前記ハンガーが折りたたんだ位置にある時に前記中央体部材の間に配置される引っ込んだ位置との間で前記フック状衣服保持部材が枢動可能であるようになされた請求項１によるハンガー。
【請求項９】
前記中央体部材が同一平面の位置にある時に、前記第１の中央大部材が前記第２の中央体部材の一部分と重なり合うようになされており、前記中央体部材のうちの１つが開孔を有しており、前記中央体部材の他の１つが、それから延長していて前記開孔に挿通可能なタブよりなる請求項８に記載のハンガー。
【請求項１０】
前記フック状衣服保持部材が繰り出した位置から引っ込んだ位置まで移動して衣服に対接しうるようになされた請求項９によるハンガー。
【請求項１１】
前記フック状衣服保持部材が衣服に対接した状態で、開いた位置から閉じた位置まで折りたたみ可能になされた請求項１０によるハンガー。
【請求項１２】
前記中央体部材のうちの１つから延長した第１の支持アームをさらに具備しており、前記第１の支持アームは、この支持アームを把持して前記ハンガーが折りたたまれた時に前記ハンガーを保持できる寸法および配置となされている請求項１によるハンガー。
【請求項１３】
前記第１の支持アームが、折りたたんだハンガーをかばん等に装着する手段を具備している請求項１２に記載のハンガー。
【請求項１４】
前記ハンガーをかばん等に装着する手段は、前記第１の支持アームを貫通した１対の離間した開孔を具備しており、ハンガーをかばんに装着するために、かばんの内側に配列されたロッド等が前記離間した開孔を貫通しうるようになされた請求項１３によるハンガー。
【請求項１５】
前記中央体部材のうちの他の１つから延長した第２の支持アームを具備しており、前記第２の支持アームは１対の離間した開孔を有しており、前記中央体部材が前記閉じた位置にある場合に、前記第１の支持アームの前記開孔が前記第２の支持アームの前記開孔と合致しうるようになされた請求項１４によるハンガー。
【請求項１６】
パンツを吊り下げることができるパンツループを保持するための、前記中央体部材のうちの１つに取り付けられたループホルダーと、
前記ループホルダーに摺動可能に配置されたパンツループをさらに具備した請求項８に記載のハンガー。
【請求項１７】
前記パンツループは、前記中央体部材のうちの１つに実質的に隣接した位置と、前記中央体部材の両方に実質的に隣接した位置との間で可動であるようになされている請求項１６に記載のハンガー。
【発明の詳細な説明】
発明の背景
発明の分野
本発明は一般的には衣類ハンガーに関し、詳細にはかばんに使用するための衣服ハンガーに関する。
背景技術
衣服および衣類用のハンガーが何世紀にもわたって製造されてきた。組成および材料にはある程度の変更（例えば木材からプラスチック被覆ワイヤへの変更）があったが、通常見られる衣服ハンガーは何十年もの間、形態と効用の点ではほとんど変わっていない。現代的なライフスタイルが組み立て式および／または折りたたみ式ハンガーの開発を奨励することになった。ほとんどの折りたたみ式ハンガーの目的は、使用していない時に収納するためにサイズを小さくしたハンガーを提供することであった。
例えばタングに対する米国特許第５１４５０９８号は、サイズを小さくして可搬性を向上させるために２つの軸のまわりで折りたたみ可能なハンガー装置を開示している。折りたたんだ状態でハンガーを使用できるようにするための工夫はなされていない。
同様に、チェンに対する米国特許第５０８５３５７号は、収納のために占有する空間は小さいが、折りたたんだ状態ではほとんど利用可能性のない組み立て式衣類ハンガーを開示している。
一般に人々は特にビジネスで旅行をすることがますます多くなっているので、クロゼットからスーツケースに衣服を容易に詰め込むことができるようにするためにハンガーが取り外し可能に配置できるかばんを提供することが慣例となっている。例えばリッター、ジュニアに対する米国特許第２００１１５６号は、スーツケース内とクロゼットの衣服ロッド上とで使用できるハンガーを教示している。航空機内に「持ち込み」かつ機内に収納するのに十分なだけ小さく、しかも不当なしわを生ずることなくフォーマルなビジネス用衣服を収納するかばんを提供することがますます望ましくなっている。かばん内にたたんだ状態で衣服を吊り下げることによって、コンパクトでしわをつけることなく、かばんへの詰め込みが可能となる。
折りたたんだ状態で使用できるハンガーが提案されており、例えばそのような装置がボンサルに対する米国特許第９２０８９４号に示されている。このような装置は、その用途がスーツコートやシャツに限定されることが多くかつ衣類が折りたたんだハンガーから外れやすいので、満足できないものであることが多かった。
タテマツに対する米国特許第４１８６８５８号は、スーツコートを折りたたんだ状態で吊り下げるように折り曲げ可能な可撓性ハンガーを開示している。その可撓性ハンガーはパンツやスラックスを収容せず、かつ開示されているように、通常のクロゼット衣服ロッドでは使用できない。
上述したこととは関係なく、パンツその他の衣服をかばん内に整然と折りたたんだ状態でしっかりと保持するが、衣服を通常のクロゼット衣服ロッドに吊り下げるためにも使用できるハンガーの必要とされている。下記の請求された発明は、このこれまで満たされていなかった必要を満たすために開発された。
発明の概要
本発明は、折りたたみ可能なハンガーと、そのハンガーをかばん内に取り外し可能に装着する画期的なトロリーを含む。このハンガーは広義には一般的に垂直なヒンジによって連結された２つの半体よりなり、それらの半体を同一平面の開いた位置と、並置される重なり合う閉じた位置との間で折りたたむことができるようになされている。このハンガーは、衣服をかけた状態で、開いた位置または閉じた位置で使用できる。フックが、引っ込んだ位置と繰り出した位置との間で枢動するように、それらの半体のうちの１つに対するヒンジ式連結を有する。そのフックは、（１）繰り出した位置にある時に、通常の衣服クロゼットロッドから吊り下げることができるようにする、そして（２）引っ込めた位置にある時には、ハンガーが閉じた位置にある場合に衣類がハンガーからすべって外れるのを防止するという２つの機能を果たす。ハンガーが開いた位置にあるか閉じた位置にあるかに関係なく、任意の摺動可能なパンツループでハンガーがパンツを担持することができる。かばん内に取り付けられたトロリー構体によって、フックの後退位置に関係なく、折りたたんだ位置にあるハンガーをかばん内に取り外し可能に装着できるようにする。
本発明の第１の目的は、背が高くて狭いコンパートメント内に垂直に折りたたんだ衣服を吊り下げるのに使用するために折りたたむことができ、かつ広ろげた衣服を従来の衣服ハンガーロッドに吊り下げるのに使用するために広げることができるハンガーを提供することである。
本発明の第１の利益は、折りたたんだ衣服が折りたたんだハンガーからすべって外れるのを防止するための効果的な手段が提供されることである。
本発明の他の利益は、広げた状態で使用された場合にハンガーの折りたたみ可能性またはそれの平衡状態を妨害することなくパンツを折りたたみハンガーから吊り下げるてめの手段が設けられることである。
本発明によれば、衣服を吊り下げることができるハンガーであって、全体として同一平面関係の位置と並置された位置との間で第１および第２の中央体部材が枢動可能となるように第１の中央体部材に枢動可能に連結された第１の中央体部材と、中央体部材のうちの１つに枢動可能に連結され、前記１つの中央体部材と実質的に同一平面関係の繰り出した位置と、前記１つの中央体部材と実質的に平行な引っ込めた位置との間で枢動可能となされたフックを具備しており、前記フックが並置された位置にある２つの中央体部材の間に配置可能となされたハンガーが提供される。フックは衣服に係合するために繰り出した位置から引っ込めた位置まで可動であり、かつ中央体部材は、フックが衣服に係合している状態で、同一平面関係の位置から並置された位置まで枢動可能である。１つの好ましい実施例では、中央体部材が同一平面関係の位置にある時に、第１の中央体部材が第２の中央体部材の一部分に重畳し、体部材のうちの１つが少なくとも１つの開孔を有し、かつ他の１つの中央体部材がそれから延長していて重畳関係を確保するために前記開孔に挿通可能な少なくとも１つのタブを具備している。このハンガーには必要に応じて、中央体部材のうちの１つにループホルダーが設けられ、そのループホルダーにはパンツループが摺動可能に配置される。パンツループはハンガー上で中央位置と変位位置との間で可動である。
また本発明によれば、かばんの中に衣類を取り出し可能に固定するための改良された手段であって、全体として同一平面関係の位置と並置された位置との間で第１および第２の中央体部材が枢動可能となるように第１の中央体部材に枢動可能に連結された第１の中央体部材と、中央体部材のうちの１つに枢動可能に連結され、前記１つの中央体部材と実質的に同一平面関係の繰り出した位置と、前記１つの中央体部材と実質的に平行な引っ込めた位置との間で枢動可能となされ、それにより並置された位置にある２つの中央体部材の間に配置可能となされたフックと、閉塞あれた空間内にあってハンガーをかばんに着脱可能に装着するためのトロリーを具備した前記改良された手段も提供される。１つの実施例では、ハンガーは中央体部材のうちの関連するものから延長した第１の支持アームをさらに具備している。このハンガーは少なくとも１つの開孔を有していてもよく、その場合には装着するためのトロリー手段はその開孔に挿通可能なロッドよりなる。さらに好ましくは、第１の支持アームが１対の離間した開孔を有し、かつ装着するためのトロリー手段はその開孔に挿通可能な２つの離間した水平ロッドを具備する。中央体部材の他の１つから延長した第２の支持アームが必要に応じて提供され、第２の支持部材は１対の離間した開孔を有し、中央体部材が並置された位置にある場合には、前記第１の支持アームの開孔が第２の支持アームの開孔に心合可能であり、２つの離間された水平ロッドのそれぞれは第１の支持アームと第２の支持アームの心合した各開孔に挿通可能である。
本発明の他の目的、利点および新規な特徴、さらに他の適用可能性の範囲を一部として添付図面に関連してなされる下記の詳細な説明に開示され、さらに一部として下記について検討することにより当業者には明らかとなるであろうし、あるいは本発明を実施することにより知ることができるであろう。本発明の目的および利点は請求の範囲に特に指摘される手段および組み合わせによて実現されかつ達成されうるであろう。
【図面の簡単な説明】
本明細書に取り入れらかつその一部分を構成する添付図面は本発明の好ましい実施例を示しており、かつ説明とともに、本発明の原理を説明するのに役立つ。図面は本発明の好ましい実施例を示すためのみのものであり、本発明を限定するものとして解釈されるべきではない。図面において、
図１は本発明によるかばんの正面立面図である。
図２は図１に示されたかばんの側面立面図である。
図３は本発明の好ましい実施例による図１に示されたかばんの斜視図であり、かばんが開いていてその中に衣類を入れた状態を示している。
図４は図３に示されたかばんの内部の破断された部分の拡大図であり、本発明の好ましい実施例によるハンガーおよびトロリー要素を、衣服を吊り下げるために使用した状態を示している。
図５は本発明によるハンガーの立面正面図であり、そのハンガーは開いた状態で示されておりかつ断面で示されたロッドに吊り下げられている。
図６は図５に示されたハンガーの側面図である。
図７は図５に示されたハンガーの背面図である。
図８は図５に示されたハンガーを一部閉じた位置で示した斜視図である。
図９は図５に示されたハンガーの上面図である。
図１０は本発明の好ましい実施例によるハンガーの背面図であり、衣服をそれに掛けておりかつハンガーフックが繰り出された位置にある状態を示している。
図１１は図０に示されたハンガーの背面図であり、ハンガーフックが衣服に係合する引っ込めた位置にある状態で示している。
図１２は、閉じた位置にありかつ折りたたんだ衣服が掛けてある本発明の好ましい実施例によるハンガーの立面図である。
図１３は閉じた状態にありかつかばんの内部構成要素上に配置されたハンガーの破断した斜視図である。
好ましい実施例の説明
（本発明を実施するためのベストモード）
本発明はかばんに使用して特に有益であるが、本発明は、簡単で信頼性がありかつ折りたたみ可能なハンガーが望ましい（例えば狭いロッカーあるいはクロゼットで）状況で適用しうることが明らかとなるであろう。本明細書および請求の範囲では、「かばん」、「かばんケース」、「スーツケース」あるいは「ケース」という言葉は、一般的にかばんを意味し、かつホイールがついているかいないかに関係なく、立て型あるいは「アップライト」ケース、プルマンスーツケース、ガーメントバッグを含む。限定のためではなく説明の目的で、本発明は図１および２に全体として示されたホイール付き立て型ケース２０について説明される。しかし、本発明の特徴は種々のかばん装置に適用できることが当業者には容易に明らかであろう。ケース２０は、衣類や他の日用品を纏めて運搬のため収納しうる閉塞した空間を画定するボトム、４つのサイドおよびトップを有するアップライトの全体として矩形プリズム型の容器として示されている。ケース２０は公知の任意の材料で構成されうるものであり、かつハードサイドプラスチックであってもよいが、軽量フレーム上に配置されたナイロンまたは他の耐久性のファブリックで製造された「ソフトサイド」かばんとして示されている。
図３はケース２０は正面領域２２と背面領域２４を有しうることをさらに示している。正面領域２２は例えばファブリックヒンジ等によって共通のエッジに沿って背面領域に撓み可能に接合されており、正面領域２２がドアまたはリッドのような形態で背面領域から揺動または枢動され、内部にアクセスするのに便利なようになされている。ケース２０を閉じるためには、正面領域２２と背面領域２４がそれらの共通の周囲に沿って合わせされて（例えばジッパーによって）互いに固着される。図１ー３は正面領域が、かばんが閉じているとき（図１および２）にはかばん２０の外側からだけ、またはかばんが開いているとき（図３）には内側からのみ、あるいは外側および内側の両方からアクセスできる１つまたはそれ以上のポケット収納コンパートメントを具備しうることを示している。図１ー３は、ケース２０には公知の技術に従って２つ以上のホイールまたはスキッドを取り付けて、使用者がケースを支持表面上で傾斜させて牽引できるように、あるいは図面に示されているようにケースをアップライト状態に安定して休止させることができるようになされうることをも示している。ケース２０には１つ以上の従来のキャリーおよび／またはホイールハンドルも設けられている。
本発明の利点は、ケース２０の内部コンパートメントがサイド間で通常よりも狭くなしうることである。この狭くした寸法は実質的な容器容積を犠牲にすることなしに実現される。衣服、例えば男性用スーツコートは、図３に示されているように垂直軸のまわりで折りたたまれてケース２０内に入れらるので、ケースの幅を狭くすることができ、したがって操作、収納および牽引をより容易にできる。ケースの背面領域２４内のコンパートメントは、平らにたたむことを必要としないで男性用スーツコートを吊り下げて入れるのに十分なだけの高さがあることが好ましい。しかし、ガーメントバッグのような他の形式のかばんでは、高さの低いコンパートメントに入れるためには、衣服を中間でもう一度折りたためばよい。図３にみられるように、ウォードローブケースの上方内部内に取り付けることができる本発明のトロリーアセンブリ３８およびハンガー４０を用いて衣類３２、３３をおりたたみかつ吊り下げる画期的な方法が可能である。トロリーアセンブリ３８およびハンガー４０が一緒になってケース20の閉じ込められた空間内に衣類を取り出し可能に固着するための手段として機能する。
本発明の折りたたみハンガーを全体的に示す図に注目されたい。全体として４０で示されている折りたたみハンガーは、若干可撓性で耐久性のある熱可塑性樹脂で作成されるのが好ましい。ハンガー４０は１対の剛直で全体として平面状の中央体部材４４、４５を有しており、それらの部材のそれぞれから、脚５０、５１のうちの関連するものが横方向に延長している。中央体部材４４、４５のそれぞれの上方部分から下方に所定の角度をなして肩部材４６、４７が延長して各関連した脚５０、５１と交差している。肩部材４６、４７および脚５０、５１のそれぞれが対応した肩部材の４４または４５の剛直な成形された延長部分となるように、肩部材４６、４７および脚５０、５１はそれらの関連する中央体部材４４、４５と一体化されていることが好ましい。各肩部材の末端部は、関連した肩部材の末端部と一体に成形されている。
図６-９に示されているように、中央体部材４４、４５は、好ましくは垂直に配置された体ヒンジ５４によって枢動可能に連結されている。体ヒンジ５４は、それのナックルを中央体部材４４、４５と一体に成形されていることが好ましく、図9の矢印で示されているように一方の中央体部材４５を他方の中央体部材４４に対して枢動させるようになされており、それにより図８、９（仮想線）に示されているように、ハンガー４０全体が垂直軸のまわりで折りたたまれて肩部材４６、４７と脚５０、５１を互いにほぼ平行な状態とする。好ましい実施例では、体ヒンジ５４は従来のピン・アンド・ナックル機構であるが、可撓性ファブリックあるいはプラスチック・リビング・ヒンジのような他のヒンジ形式でも本発明では十分であることはすぐ分かる。さらに、本発明の他の実施例では、中央体部材４４、４５を枢動可能に連結するために非垂直状態に配置された主体ヒンジ５４を用いることができる。したがって、ハンガー４０は、中央体部材４４、４５、肩部４６、４７および脚５０、５１が図５、７および９に示されているようにすべて実質的に同一平面関係となる開いた位置と、中央体部材４４、４５とそれらの関連する肩部および脚が図４、１２および１３に示唆されかつ図９に仮想線で示されているように互いに平行またはほぼ平行な状態にある折りたたまれたまたは閉じた位置との間で、垂直軸のまわりで折りたたみ可能であることが好ましい。
図４、５、７および８に最も良く示されているように、一方の中央体部材４４が他方の中央体部材４５よりも寸法的な広がりが大きいことが好ましいが、必要ではない。直角三角形状であることが好ましい小さい方の中央体部材４５は、それの垂直縁端部に配置されたヒンジ５４を有し、中央体部材４５の底に対して直角をなしている。二等辺三角形の形をしていることが好ましい大きい方の中央体部材４４は、小さい方の中央体部材４５の本質的に２倍の大きさである。体ヒンジ５４は大きい方の中央体部材４４の垂直対称軸に沿って配置されて、小さい方の中央体部材４５が、大きい方の中央体部材４５の半分と実質的に同一広がりの重複位置から枢動可能であるようになされることが好ましい。
この好ましい構成の利点は、ハンガー４０が折りたたまれて開いた位置となされた時に小さい方の中央体部材４５と大きい方の中央体部材４４の一方の半分との間に調和した重なりが与えられることである。この重なりは、中央体部材のうちの１つ（図面では中央体部材４４）から広がって他方の中央体部材（図示された中央体部材４５）を介して対応する開孔５９、５９’とスナップまたは摩擦係合する１つ以上のスナップ・タブ５８、５８’によって確保されることが好ましい。好ましくかつ完全に機能的な実施例、単一の対応開孔に挿通可能な単一の中央に配置されたタブを具備しうるが、図面に示されているように対をなした開孔とタブを用いることによって、二重に確実なスナップ式連結が得られる。図８に示されているように、タブ５８、５８’は大きい方の中央体部材４４の１つの縁端に沿って配置され、他方、開孔４４、４５は小さい方の中央体部材４５の斜辺に沿っていることが好ましい。中央体部材４４、４５が同一平面状態の完全に開いた位置に枢動されると、スナップ・タブ５８、５８’が開孔５９、５９’内の所定位置にスナップ式に入り込み、小さい方の中央体部材４５を大きい方の中央体部材４５に対接した同一平面関係の重なり合い状態に確実に保持する。このスナップ式に固着された重複構成は、重量を確実に担持する強力で一般に剛直なハンガーを提供し、このハンガーは不注意によるまたは偶発的な折りたたみまたは崩壊を受けにくいようになされている。ハンガー４０を折りたたんで閉じた位置にしたい場合には、小さい方の中央体部材４５を大きい方の中央体部材４４からしっかりと引き離して、開孔５９、５９’を通じてタブ５８、５８’を後方に引いて重複した連結を切り離すようにする。
図５-８に示されているように、ハンガー・フック６０はネック・ヒンジ６２によって中央体部材４４に枢動可能に連結されている。ネック・ヒンジ６２がハンガー・フック６０を図５および８に示された繰り出した位置と図７に示された引っ込めた位置との間で折りたためるようにする。繰り出した位置では、ハンガー・フック６０は中央体部材４４と実質的に同一平面関係にある。図６に矢印で示されてるように引っ込めた位置に枢動されると、ハンガー・フック６０は全体として中央体部材４４と平行になる。実際には、ハンガー４０が衣服を吊り下げるために開いた位置にある場合には、フック６０と中央体部材４４、４５が全体として同じ仮想平面内に含まれる。ハンガー４０が折りたたみ位置にある場合には、中央体部材４４、４５はそれらの間にサンドイッチになったフック６０とほぼ平行になる（図１２および１３）。
ハンガー・フック６０は中央体部材４４、４５と同じ材料で作成されかつ図５に示されているように従来の衣服クロゼットバー、衣服ラックロッド等にハンガー４０全体を吊るすことができるようにするために円形のまたは他の水平ロッドに係合し得る半円形内表面６３を設けられることが好ましい。したがって、ハンガー・フック６０によって、ハンガー４０は衣服を標準的のクロゼットに吊るすために用いることができる。ハンガー４０は衣服を通常のクロゼットに吊るすために繰り出した開いた位置で最も良く用いられるが、ハンガー・フック６０を衣服ロッド３０で使用するために広げた状態にして折りたたみ位置で使用するのは満足度が低いかもしれない。
図５、７、および８は、中央体部材４４、４５のうちの少なくとも一方、好ましくは両方のトップから支持アーム６５、６６が延長しており、それらの支持アームは、肩部材４６、４７と同様に、垂直軸に関して両側で対称であることを示している。また肩部材４６、４７のそれぞれと同様に、各支持アーム６５、６６は中央体部材４４、４５のうちの対応するものと一体化されて、各支持アームがそれの対応する体部材の剛直な延長部分となるようになされることが好ましい。各支持アーム６５、６６にはトロリー開孔６８、６８’および６９、６９’のうちの少なくとも１つ、好ましくは２が完全に貫通していることが好ましい。トロリー開孔６８、６８’、６９、６９’はトロリーロッド８２、８２’（図４）の横断面形状に対応した形状の、好ましくは丸い穴であり、それらの穴はアーム６５、６６の水平端部のそれぞれの近傍で支持アーム６５、６６のそれぞれを貫通している。支持アーム６５、６６および開孔６８、６８’、６９、６９’によってハンガー４０かばんの中に固定配置できるのであるが、これについてはさらに説明する。図４で最も良く示されているように、トロリー開孔６８、６８’、６９、６９’はトロリーロッド８２、８２’間の距離に実質的に等しい距離だけ離間されている。
このようにして、ハンガー４０は広げた衣服を通常の衣服ロッド３０に吊り下げるために使用できるが、このハンガーは特に、図３および４に全体的に示されているように閉じた位置にある時に画期的なトロリー・アセンブリ３８でかばんの中に吊り下げるようになされているのである。トロリー・アセンブリ３８はケース２０の背面領域２４の上方部分に取り付けられている。トロリー・アセンブリによって、たたんだ衣服３２がハンガー４０に確実に保持されうるとともに、ハンガー４０がしっかりとではあるが取り外し自在にケース２０に装着されうる。このようにして、たたんだ衣服３２を容易に、安全にかつしわを最小限に抑えてケース内に詰め込むことができる。
図４を参照する。１つの実施例では、トロリー・アセンブリ３８は１対の平行で離間したトロリー・ロッド８２、８２’を具備している。トロリー・ロッド８２、８２’のすぐ上にかつそれらと平行に、対応する対のラッチ・ロッド８４、８４’が配置されており、それのラッチ・ロッドが該当する対のスロット付きスイングラッチ８６、８６’を取り付けている。スイングラッチ８６、８６’はそれらの各位置においてラッチ・ロッド８４、８４’の長さ部分に固定されてもよく、あるいはロッド８４、８４’の長さに沿った種々の位置で調節可能に確保可能な位置決めをおこなうためにラッチ・ロッド８４、８４’に沿って摺動しうるようになされてもよい。ラッチ８６、８６’は水平軸のまわりで揺動または回転する。ラッチ８６、８６’は開いた位置（図４のラッチ８４’）と閉じた位置（その図のラッチ８４）の間で手動で枢動可能である。
図３および４が示すように、ハンガー４０はトロリー・ロッド８２、８２’に着脱可能に取り付けることが可能である。スイングラッチ８６、８６’は、両者が開いた位置にある場合に、ハンガー４０をトロリー・ロッド８２、８２’上の所定の位置にスリップさせることができる。ハンガー４０がトロリー・ロッド８２、８２’上にある状態で、ラッチ８６、８６’は下方に揺動されて閉じた位置となされる。ラッチ８６、８６’が閉じた位置にある時には、隣接したトロリー・ロッド８２がラッチのスロットを貫通して延長して、ラッチ（図４ではラッチ８６）がトロリー・ロッド８２を効果的に取り囲みまたは包囲してハンガーがロッド８２の端部から離れるように摺動するのを阻止する。
したがって、図４、９（仮想線）および１２に示されているようにハンガー４０が折りたたまれて閉じた状態になされている場合には、対応した対の開孔６８、６８’、６９、６９’は互いに整列し、かつロッド８２、８２’はすべての開孔と心合可能でかつそれらに挿通可能である。トロリー・ロッド８２、８２’を両方の支持アーム６５、６６’のトロリー開孔６８、６８’、６９、６９’に摺動可能に挿通することによってハンガー４０がトロリー・ロッド８２、８２’に係合することによって、ケース３０内の安全な水平位置に着脱可能に取り付けることができる。ハンガーフック６０が折りたたまれて引っ込んだ位置となされ、支持アーム６５、６６の妨害されない使用によってハンガー４０をトロリー・ロッド８２、８２’に係合させることができる。
図１０-１２を詳細に参照すると、本発明の利点はネックヒンジ６２が衣類をハンガー４０上の所定位置に保持するために衣類３２に対接するように折りたためるようにすることである。図１０に示されているように、衣服はまず従来の態様に従ってハンガー４０の肩部材４６、４７上にまず配置される。得に、図１１に最も良く示されているように、ハンガーフック６０の外表面６４は、ハンガーフック６０が引っ込んだ位置にある場合に実質的に垂直になるような形状となされている。このようにして、ハンガーフック６０が引っ込められた時には、外表面６４は体ヒンジ５４の回転軸と実質的に平行となり、衣服３２に対接し、そして衣服がまわりでたたまれる垂直軸と平行となる。その後で、ハンガーフック６０が衣服の複数の部分の間に配置されかつ中央体部材４４、４５間にサンドイッチ状に配置されると、ハンガー４０は体ヒンジ５４のまわりで折りたたむことができ、その折りたたんだハンガーと衣服は図１２の位置をとる。ハンガー４０をそのように折りたんだ状態では、その上に配置された衣類は垂直方向にもたたまれる。ハンガー４０と衣服をたたんだ状態にしかつハンガーフック６０を引っ込んだ位置にた状態で、フック６０の外表面６４が衣服３２に対接されて衣服を折りたたんだハンガー上に保持する。すなわち、衣服が肩部材４６、４７から下方に摺動するのを（すなわち図１２で下方および右方に摺動するのを）阻止する。有利なことには、衣服は図４に示された位置において重複した肩部材４６、４７上に維持される。その後で、図３に示されているように衣服３２とハンガー４０がトロリー・ロッド８２、８２’上に配置されうる。
図５および７に注目すると、これらの図は、ハンガー４０には、ネクタイ、スカート、あるいは他の衣服を配置しうるパントループ７０が必要に応じて設けられる。他の１つの実施例では、パンツ・ループ７０は例えば剛性プラスチックまたはヘビーゲージワイヤの実質的に閉じた細長いループよりなり、このループは１着のパンツを受け入れるのに十分な幅である（図４）。ループ７０はループ・ホルダー７３内に摺動可能に配置される。ループホルダー７３は、大きい方の中央体部材４４の底および関連した脚５０に固着された溝付きの、好ましくは管状の部材を具備する。図５に最も良く示されているように、ループ７０の上方部分がループホルダー７３のチャンネルまたは溝内に保持されるが、その中で摺動してループ７０をハンガー４０に対してサイド・ツー・サイドに移動させることができる。したがってパンツ・ループ７０は、中央体部材４４のうちの１つおよび／または脚５０の１つに実質的に隣接した変位した位置（図５における実線）と、両方の中央体部材４４、４５または脚５０、５１に実質的に隣接した中央位置（図５における仮想線）の間で可動である。パンツ・ループ７０の下方部分には実質的に円筒状のパッド部材７６が設けられており、そのパッド部材は、衣服がしわがつくのを最小限に抑えて安全にドレープできるきれいなパッド表面を提供するようにループ７０よりも大きい半径を有している。
注目すべきことには、そのような形状のものとしてパンツ・ループ７０を設けたことが、ハンガー４０の折りたたみ操作の邪魔にならない。ハンガー４０が開いた位置にある場合には、パンツ・ループ７０は、図７に示されかつ図５の仮想線で示されているように、ホルダー７３内で中央位置まで移動でき、その中央位置では、ループ７０の一部分が両方の脚５０、５１に隣接する。中央位置では、パンツ・ループ７０はハンガー４０の平衡点に対して実質的に対称な位置にあり、それがハンガー４０を図５に示されたロッド３０から均一に吊り下げることができるようにする。したがって、中央位置では、パンツ・ループ７０はハンガー４０の対称性および平衡性をそこなうことはないが、ループホルダー７３はハンガーの垂直対称軸から幾分変位される。パンツ３３または他の衣服はループ７０を通じて配置されそしてそのループの底部ラング上に吊り下げられうる。ハンガー４０は、パッド部材７６を実質的に水平にして、平衡した位置で従来の衣服ハンガーロッド３０上に配置されうる。パンツ・ループ７０は横方向に移動できるので、それの位置は、衣服がループ７０上にある時にハンガー４０の重力平衡を最適化するように調節できる。事実、衣服が肩部材４６、４７上に配置されていない場合には、パンツ３３等だけを従来の衣服ハンガーロッド３０に吊り下げるためにハンガー４０を開いた位置または閉じた位置で用いることができる。
ハンガー４０をたたんで閉じた位置したい場合には、ループ７０が図５に示された位置に変位さえるまでループホルダー７３内でシフトされ、その位置ではループ７０は１つの体部分およびそれの対応した脚５０だけに隣接している。この変位した位置では、パンツ・ループ７０はハンガー４０の平衡点に対して変心しており、ヒンジ５４の動作には全く干渉しない。パンツ・ループ７０は大きい方の体部材４４の幅に実質的に対応するがそれより小さい横方向の広がりを有する。パンツ・ループを変位した位置にした状態では、ハンガー４０は自由にたたんで閉じた位置にすることができ、そしてループ７０は、１着のパンツ３３を担持するのに十分なだけ幅広いが、折りたんたんだハンガー４０の全幅を大きくは増大させない。パンツ・ループ７０上に衣服を担持するハンガー４０は、それでもそれの折りたたんだ位置で使用できかつ図３および４に示されるように狭いケース内に配置されうる。他の、より廉価な代替実施例では、パンツ・ループは永久的に変位した位置において中央体のうちの１つに不動に固着されうる。
図１３は、本発明の１つの利点は、ハンガー４０が他のトロリー実施例で使用するようになされうることを示している。ハンガー４０は、フック６０を２つの中央体部材４４、４５間の位置に引っ込めているが、衣服をその上に配置していない状態で閉じた位置で示されている。平面状のパネル８８はかばんの内部に不動に取り付けられるか、あるいは好ましくは揺動できるようにヒンジ付けされる。この他の実施例では、パネル８８には水平方向に心合したループブラケット８９、８９’が設けられており、それらのループブラケットには１つまたはそれ以上の支持アーム６５、６６が摩擦挿通されてハンガー４０をケース内に固着させる。
ハンガー４０は広げた開位置またはたたんだ閉位置で使用できる。使用者は衣服を従来のロッド３０上にまたはかばん２０内に吊り下げるためにハンガー４０を使用できる。スポーツコートのような衣服が図１０に示されているように開いた位置においてハンガー４０に広げた状態でかけられ、そしてハンガーフック６０は従来のロッド３０にかえられる（図５）。もし所望されれば、パンツ・ループ７０は図７に示されている中央位置に変位されうるとともに、ハンガー４０がロッド３０から平衡状態で吊り下がっている状態で１着のパンツまたは他の衣服がそのパンツ・ループから吊り下げられうる。必要に応じて、使用者の指示を中央体部材４４、４５の何れか一方または両方に印刷してもよく、この場合、その指示は吊り下げた衣服のラペル間の空間に見えた状態にある。
例えばクロゼットからハンガー４０と衣服を移すためには、ハンガー４０をロッド３０から取り外し、そしてフック６０を図１１に示された引っ込んだ位置に枢動させればよく、その位置ではフックの外表面６４が衣服に接触する。パンツ・ループ７０は図５に示された変位位置まで摺動変位される。そこで衣服３２をかけたままのハンガー４０が図１２に示されているように折りたたまれて閉じた位置になされる。注目すべきことには、衣服３２の複数の部分がハンガー４０の各中央体部材４４、４５間にサンドイッチ状に配置され、そしてフック６０が衣服３２の層の間にサンドイッチ状に配置される。中央体部分４４のうちの１つに付着されたフック６０は衣服がそれの重量で傾斜肩部４６、４７に沿って下方に摺動しないようにする。主ヒンジ５４のナックルが大きい中央体部材４４からある程度離れる方向に延長し、中央体部材４４、４５間に衣服層が配置される付加的な空間を与える。
衣服３２とハンガー４０の両方を図１２に示されているようにたたんだ状態にすると、ハンガーは図４にしめされているように、あるいは図１３に従ってトロリー・アセンブリ３８上に配置されうる。また図４に示されているように、スイングラッチ８６、８６’が閉位置に枢動されて（図ではラッチ８６）、ハンガー４０が誤ってトロリー・ロッド８２、８２’からすべり落ちるのを防止することができる。このようにして、衣服（およびパンツループ要素を具備した実施例ではパンツ・ループ７０）が運搬のためにしっかりとしかも着脱自在にケース２０内に保持される。
したがって、以上本発明の好ましい形態について開示し説明したが、請求の範囲によって定義される本発明およびそれの妥当な均等物の範囲から逸脱することなしに部品の構造、配置および組成について修正および変更がなされうることを理解すべきである。
【図１】
0004116090.tif 000002
【図２】
0004116090.tif 000003
【図３】
0004116090.tif 000004
【図４】
0004116090.tif 000005
【図５】
0004116090.tif 000006
【図６】
0004116090.tif 000007
【図７】
0004116090.tif 000008
【図８】
0004116090.tif 000009
【図９】
0004116090.tif 000010
【図１０】
0004116090.tif 000011
【図１１】
0004116090.tif 000012
【図１２】
0004116090.tif 000013
【図１３】
0004116090.tif 000014